(57)【特許請求の範囲】
【請求項１】
室内の壁面上部に沿って取り付けられて下端部に長手方向のレールを設けたレール付き長押において、下端部に上記レールを付設し、壁面に固定したベース材と、上記ベース材の上面から前面を覆って上記ベース材の固定部を被覆してなる化粧板を具備し、上記化粧板が、上面から前面を覆う第１の化粧部材と、この第１の化粧部材の下端に接着した第２の化粧部材からなり、かつ、第１の化粧部材に第２の化粧部材を接着した接着部の位置が変更自在であることを特徴とするレール付き長押。
【請求項２】
上記ベース材が、下端部に長手方向の溝が形成しており、この溝内にレールが収容されていることを特徴とする請求項１記載のレール付き長押。
【発明の詳細な説明】
【０００１】
【発明の属する技術分野】
本発明は、室内の壁面上部に沿って取り付けられて下端部に長手方向のレールを設けたレール付き長押に関するものである。
【０００２】
【従来の技術】
一般住宅にあっては、部屋の有効活用のために、ハンガー等を掛けるためのフックを長押に釘打ちして取り付ける光景がみられる。そこで、長押自体の下端部にフック等を吊下げるためにレールを形成することが採用されている。（例えば、実開昭５９−５７６４４号公報等）
【０００３】
【発明が解決しようとする課題】
このような長押は、室内の壁面上部にビス等で止められるため、このビスを打ち付けた個所の外観が室内の美観を損なうものであった。また、近年の多種多様な室内の利用に伴って、上記長押の外観に関しても、利用者の好みや室内の装飾に合わせて、各種の化粧性を施して欲しいという要望がある。さらに、上記レールに吊下げるものは、ハンガー用のフック以外に、棚や額等の多様な要望があり、そのため、上記レールの大きさも多様なものを使用するようになっている。
【０００４】
本発明は上記の事情に鑑みてなされたもので、その目的とするところは、良好な美観を呈することのできるレール付き長押を提供することにある。
【０００５】
また、本発明の他の目的とするところは、吊下げるものの種類や大きさに応じてレールの大きさを変更しても、対応することができるレール付き長押を提供することにある。
【０００６】
【課題を解決するための手段】
請求項１記載のレール付き長押は、室内の壁面上部に沿って取り付けられて下端部に長手方向のレールを設けたレール付き長押において、下端部に上記レールを付設し、壁面に固定したベース材と、上記ベース材の上面から前面を覆って上記ベース材の固定部を被覆してなる化粧板を具備したことを特徴とする。上記によって、ベース材や固定金具が露出しないため、良好な美観を呈することができるものである。
【０００７】
そしてこのレール付き長押は、上記化粧板が、上面から前面を覆う第１の化粧部材と、この第１の化粧部材の下端に接着した第２の化粧部材からなり、かつ、第１の化粧部材に第２の化粧部材を接着した接着部の位置が変更自在であることを特徴とする。上記によって、第２の化粧部材が第１の化粧部材の下端に接着する接着部の位置を調整することにより、化粧板の垂直方向の長さを変更することができるものである。その結果、上記レール付き長押は、上記ベース材に下設したレールの大きさを吊下げるものの種類や大きさに応じて変更しても、化粧板の垂直方向の長さを自在に調整することができるものである。
【０００８】
請求項２記載のレール付き長押は、請求項１記載のレール付き長押において、上記ベース材が、下端部に長手方向の溝が形成しており、この溝内にレールが収容されていることを特徴とする。上記によって、上記溝内に収容可能な限り、レールの大きさを吊下げるものの種類や大きさに応じて変更することができるものである。
【０００９】
【発明の実施の形態】
図１、２は、本発明の参考例となる実施の形態の一例を示し、図１はレール付き長押の取り付け状態を示した断面図、図２（ａ）（ｂ）は部材毎の斜視図である。
【００１０】
上記レール付き長押は、室内の壁面１０の上部に沿って取り付けられるものである。上記レール付き長押は、壁面１０に固定されたベース材１と、このベース材１の上面３から前面４を覆う化粧板２とを備える。
【００１１】
上記ベース材１は、ベース材本体１ａとベース材本体１ａに長手方向にわたって下設したレール１ｂからなる。上記ベース材本体１ａは、その前面４の略中央に、長手方向にわたって条溝５が形成されており、この条溝５内に形成したネジ孔にビス等の固定金具６を挿入し、壁面１０内部の柱７に固定されている。また、上記レール１ｂは、上記ベース材本体１ａの下端部に設けられており、互いの方向に突出する１対のレール片８、８と、このレール片８、８を架橋して上記ベース材本体１ａの底部１２に釘１１で付設された架橋片９を備えている。上記架橋片９の幅は、上記ベース材本体１ａの底部１２の幅と略同一に形成されている。なお、上記レール片８、８には、フック１３等が複数個取り付けられている。また、上記ベース材本体１ａの上端部は、長手方向にわたって壁面１０から前上方に傾斜した傾斜面１５と、略半分の位置から上方に延設した面１６と上記前面４とで形成される突出片１４を設けている。この突出片１４の上端は水平に形成されている。
【００１２】
上記化粧板２は、ベース材１の前面４を覆う前板２１と、前板２１の上端から壁側に水平に延設する上板２２と、上板２２の壁側端部から垂下した後板２３を備え、前板２１に意匠上で様々な模様のものが形成されたものである。上記化粧板２は、前板２１でベース材１の前面４を覆うので、固定金具６を挿入した条溝５を隠すものである。また、上記化粧板２は、上記前板２１の下端が、レール１ｂより下方にまで延設しており、離れた場所から、上記レール片８、８が見え難いように形成されている。上記化粧板２は、上記前板２１、上板２２、及び、後板２３で形成される凹部２４に、上記突出片１４の先端が嵌合される。なお、化粧板２は、接着剤でベース材１に接合されるものである。上記化粧板２は、上記前板２１、上板２２、及び、後板２３で、ベース材本体１ａの上面３である突出片１４を覆うように形成されている。
【００１３】
上記レール付き長押は、上記化粧板２がベース材１の上面３及び前面４を覆うので、ベース材１や固定金具６が露出しないため、良好な美観を呈することができるものである。
【００１４】
図３は、請求項１に係る発明に対応する実施の形態の一例を示し、取り付け状態の断面図である。上記参考例となるレール付き長押と異なる点のみ説明する。
【００１５】
上記レール付き長押は、壁面１０に固定されたベース材１と化粧板２を備え、上記化粧板２は、上記ベース材１の上面３から前面４を覆う第１の化粧部材２ａと、この第１の化粧部材２ａの下端に接着した第２の化粧部材２ｂから構成されている。上記第１の化粧部材２ａは、条溝５より上側の前面４を覆う第１の前板３１と、第１の前板３１の上端から壁側に水平に延設する第１の上板３２を備えている。上記第２の化粧部材２ｂは、下地板３３と、この下地板３３の上端部を覆って第２の上板３４、この下地板３３の前面を覆って第２の前板３５、及び、下地板３３の下端部を覆って下板３６が形成されている。上記レール付き長押は、これら第１の上板３２、第１の前板３１、第２の上板３４、第２の前板３５、及び、下板３６に意匠上で様々な模様のものが形成されている。上記第２の前板３５は、その中央部に長手方向にわたって意匠性を有する凹状の模様が形成されている。上記第２の化粧部材２ｂは、固定金具６を挿入した条溝５、ベース材１の条溝５より下側の前面４を隠し、さらに、その下端をレール１ｂより下方にまで延設しているため、離れた場所から、上記レール片８、８を見え難いようにしている。
【００１６】
上記レール付き長押は、第２の化粧部材２ｂが第１の化粧部材２ａの下端に接着する接着部３７の位置を調整することにより、化粧板２の垂直方向の長さを変更することができるものである。その結果、上記レール付き長押は、上記ベース材１に下設したレール１ｂの大きさを吊下げるものの種類や大きさに応じて変更しても、レール１ｂを隠すために、化粧板２の垂直方向の長さを自在に調整することができる。また、上記レール付き長押は、上記化粧板２がベース材１の上面３及び前面４を覆うので、ベース材１や固定金具６が露出しないため、良好な美観を呈することができるものである。
【００１７】
図４は、その他の参考例となる実施の形態を示し、取り付け状態の断面図である。上記レール付き長押と異なる点のみ説明する。
【００１８】
上記レール付き長押は、壁面１０に固定されたベース材１と、このベース材１の上面３から前面４を覆う化粧板２とを備える。上記レール付き長押は、上記ベース材１の前面４の下端に、レール１ｂを取り付けるベース材本体１ａの底部１２より突出して突起片４２を有する。上記ベース材１は、その下端部の壁側に、上記突起片４２の後面４３、底部１２、及び壁面１０とで長手方向に溝４１を形成しており、この溝４１の内側にレール１ｂを収容している。上記レール１ｂは、上記溝４１内に収容可能な限り、上記レール１ｂの架橋片９の幅や、レール片８，８の高さを、吊下げるものの種類や大きさに応じて変更することができるものである。
【００１９】
また、上記化粧板２は、ベース材１の前面４を覆う前板２１と、前板２１の上端から壁側に水平に延設する上板２２を備え、その前板２１の下端部が上記突起片４２の前面４４と下先端面４５を覆う形状となっている。上記化粧板２は、この前板２１に意匠上で様々な模様のものが形成されている。上記レール付き長押は、上記化粧板２がベース材１の上面３及び前面４を覆うので、ベース材１や固定金具６が露出しないため、良好な美観を呈することができるものである。
【００２０】
【発明の効果】
請求項１記載のレール付き長押は、ベース材や固定金具が露出しないため、良好な美観を呈することができ、特に、第２の化粧部材が第１の化粧部材の下端部に接着する接着部の位置を調整することにより、いちいち異なる化粧板を準備することなく、化粧板の垂直方向の長さを変更することができる。その結果、上記レール付き長押は、上記ベース材に下設したレールの大きさを吊下げるものの種類や大きさに応じて変更しても、化粧板の垂直方向の長さを自在に調整することができるものである。
【００２２】
さらに、請求項２記載のレール付き長押は、特に、上記溝内に収容可能な限り、レールの大きさを吊下げるものの種類や大きさに応じて変更することができる。その結果、上記レール付き長押は、上記ベース材に下設したレールの大きさを吊下げるものの種類や大きさに応じて変更しても、化粧板を変更することを必要としないものである。
【図面の簡単な説明】
【図１】本発明の参考例を示した取り付け状態の断面図ある。
【図２】同参考例を示し、（ａ）はベース材の斜視図、（ｂ）は化粧の斜視図である。
【図３】本発明の実施の形態の一例を示した取り付け状態の断面図ある。
【図４】本発明の他の参考例を示した取り付け状態の断面図ある。
【図１】
0003633425.tif 000002
【図２】
0003633425.tif 000003
【図３】
0003633425.tif 000004
【図４】
0003633425.tif 000005